(57)【要約】      （修正有）【課題】撮像装置全体の小型化、薄型化を図るための蓋開閉機構を提供する。【解決手段】ターンテーブルに着脱可能に装着され、回転駆動装置により回転駆動されるＤＶＤ２に対して情報信号を記録可能な光学ピックアップ装置と、テーブル回転装置、ターンテーブル等が配置されるディスク収納部６を有する外装ケースと、外装ケースに開閉自在に取り付けられディスク収納部６を覆うディスク蓋７と、ディスク収納部６を閉じた状態でディスク蓋７をロックすると共にそのロック解除が可能とされた蓋開閉機構とを備えた撮像装置において、蓋開閉機構が、ディスク蓋７に取り付けられたロック爪と、このロック爪に対して係合・離脱可能とされ且つ外装ケース５に移動可能に支持されたストッパ爪４８ａ，４８ｂとを有し、このストッパ爪４８ａ，４８ｂを、外装ケース５内のテーブル回転装置及び光学ピックアップ装置の近傍の空き領域に配置した。【選択図】図１１
2005182877.tif 000002
【特許請求の範囲】
【請求項１】
ターンテーブルに着脱可能に装着されるディスク状記録媒体を回転駆動するテーブル回転装置と、
前記テーブル回転装置により回転駆動される前記ディスク状記録媒体に対して、少なくともレンズ装置を介して入力される被写体の光に対応した画像の情報信号を記録可能なピックアップ装置と、
前記テーブル回転装置及び前記ピックアップ装置が収納されると共に前記ターンテーブルが配置されるディスク収納部を有する外装ケースと、
前記ディスク収納部を覆うことができるよう前記外装ケースに開閉自在に取り付けられたディスク蓋と、
前記ディスク収納部を閉じた状態で前記ディスク蓋をロックすると共に当該ロックの解除が可能とされた蓋開閉機構と、を備えた撮像装置において、
前記蓋開閉機構は、前記ディスク蓋に取り付けられたロック爪と、前記ロック爪に対して係合・離脱可能とされ且つ前記外装ケースに移動可能に支持されたストッパ爪と、を有し、当該ストッパ爪を、前記外装ケース内の前記テーブル回転装置及び前記ピックアップ装置の近傍の空き領域に配置したことを特徴とする撮像装置。
【請求項２】
前記空き領域は、前記ターンテーブルに装着された前記ディスク状記録媒体と略重なり合う部分であって前記テーブル回転装置及び前記ピックアップ装置を支持するメカシャーシの外側に形成された領域であることを特徴とする請求項１に記載の撮像装置。
【請求項３】
前記蓋開閉機構は、前記外装ケースに固定されたベースプレートに摺動可能に支持されると共に前記ストッパ爪を有するスライド部材と、前記スライド部材をロックすると共に前記ロック爪によって前記ロックの解除が可能とされた回動レバーと、前記スライド部材を移動させて前記ストッパ爪を前記ロック爪から離反させるモータ組立体と、前記ストッパ爪を前記ロックの方向に付勢するコイルバネと、を有することを特徴とする請求項１に記載の撮像装置。
【請求項４】
前記モータ組立体は、前記スライド部材を移動させる回転カムと、前記回転カムを回転動作させる駆動モータと、前記回転カムの回転位置を検出して前記駆動モータを駆動制御する検出スイッチと、を有することを特徴とする請求項３に記載の撮像装置。
【発明の詳細な説明】
【技術分野】
【０００１】
本発明は、外装ケースに開閉自在に取り付けられたディスク蓋のロックとそのロック解除を行う蓋開閉機構を備えた撮像装置に関し、特に、蓋開閉機構を外装ケース内のディスクドライブ装置近傍の空き領域に配置し、装置の小型化、薄型化を可能とした撮像装置に関するものである。
【背景技術】
【０００２】
従来の、この種の撮像装置としては、例えば、特許文献１に記載されているようなものがある。特許文献１には、記録担体の交換可能な記録装置における記録担体交換記憶装置に関するものが記載されている。この特許文献１に記載された記録担体交換記憶装置は、記録担体を交換自在な記憶装置であって、記録担体の装填又は取り出し操作に応答するスイッチ手段と、当該スイッチ手段からの信号を電子的に記憶する電子記憶手段と、当該電子記憶手段に、主電源がオフであっても電力を供給可能なバックアップ電源と、当該バックアップ電源の電力状態を表示する表示手段とからなる、ことを特徴としている。
【０００３】
このような構成を有する記録担体交換記憶装置によれば、記録担体の交換を電子的に記憶するので、機械的記憶機構に較べ、簡単な構成でありながら信頼性が高く、しかも安価に製造できる。また、記憶信号の解除も短時間で簡単に行いうる、と言う効果が期待される。
【０００４】
従来の他の撮像装置としては、例えば、特許文献２に記載されているようなものもある。特許文献２には、記録担体の交換が可能な記録装置に関するものが記載されている。この特許文献２に記載された画像記録装置は、記録対象光像を画像信号に変換し、該画像信号を記録ヘッドにより交換可能な記録担体に対して記録する画像記録装置であって、該装置の記録動作のための記録用電力を供給する手段、該供給手段による記録用電力の供給が断たれている際に前記記録担体が取り出され、新たに装填されたことを検出し記憶する記憶手段、前記記録対象光像の記録タイミングを示すトリガ信号を発生する手段、該記憶手段により前記記録担体の新たな装填が検出記憶されている際には前記トリガ信号にかかわりなく前記供給する手段の記録用電力の供給開始に応じて前記記録ヘッドを前記担体上の未記録位置へアクセスさせる制御手段とを有する、ことを特徴としている。
【０００５】
このような構成を有する画像記録装置によれば、たとえ装置の記録用電力供給が断たれている間でも、その間に記録担体が交換されたか否かを確実に知ることができ、更には記録タイミングを示すトリガ信号に係りなく記録用の電力供給の開始に応じて記録ヘッドを未記録位置へアクセスさせているので、トリガ信号が発生した際には記録ヘッドを予め未記録位置へアクセスさせることができる、と言う効果が期待される。
【０００６】
更に、従来の他の撮像装置としては、例えば、特許文献３に記載されているようなものもある。特許文献３には、複数の記録トラックを、互いに分離した状態で設定可能な記録体を使用して記録トラック毎に画像信号を記録し得るようにした画像記録装置に関するものが記載されている。この特許文献３に記載された画像記録装置は、複数の記録トラックを互いに分離して設定し得る記録体を使用して、各記録トラック毎に画像信号を記録し得るようにした画像記録装置において、画像信号を記録するに当り、該画像信号を記録すべきトラックに既に画像が記録されているか否かを検出するための検出手段を設けるようにした、ことを特徴としている。
【０００７】
このような構成を有する画像記録装置によれば、録画を行わんとしているトラックが、未録画であるか否かを常に性格に検出できるもので、この種の画像記録装置として特に前述したような合理性を追求する上で非常に有益なものであり、例えば実施例にも示す如く非常に単純な論理構成により、二重録画の禁止、その警告、そして更に未録画トラックへの記録手段の自動的な状態シフト等の有益な機能が得られ、従ってこの種の装置に採用してその効果、甚だ甚大である、と言う効果が期待される。
【０００８】
しかしながら、前述したような従来の撮像装置においては、蓋開閉機構の動力としてステッピングモータ等の動力装置を使用し、その動力装置をマイクロコンピュータによるマイコン制御で行っていたため、蓋開閉機構がスペース的に大きなものになっていると言う課題があった。更に、ディスク蓋に固定されたロック部材と、このロック部材に対して相対的に移動可能として外装ケースに保持されて当該ロック部材に着脱可能に係合されるスライド部材とが同一平面上に配置されているため、蓋開閉機構がストローク方向に大きくなっているという課題もあった。
【特許文献１】特開昭６３−１４０４５４号公報
【特許文献２】特開昭６１−１８２６６９号公報
【特許文献３】特開昭５４−１４０５１５号公報
【発明の開示】
【発明が解決しようとする課題】
【０００９】
解決しようとする問題点は、外装ケースに開閉自在に取り付けられたディスク蓋は、ディスク収納部に配置されるターンテーブルに装着されたディスク状記録媒体が回転駆動されている間は開かないようにしておく必要があるため蓋開閉機構が設けられているが、従来の蓋開閉機構はスペース的に大きなものになっており、撮像装置全体の小型化、薄型化を図ることが難しいと言う点である。
【課題を解決するための手段】
【００１０】
本出願の請求項１に記載の発明は、ターンテーブルに着脱可能に装着されるディスク状記録媒体を回転駆動するテーブル回転装置と、このテーブル回転装置により回転駆動されるディスク状記録媒体に対して、少なくともレンズ装置を介して入力される被写体の光に対応した画像の情報信号を記録可能なピックアップ装置と、テーブル回転装置及びピックアップ装置が収納されると共にターンテーブルが配置されるディスク収納部を有する外装ケースと、ディスク収納部を覆うことができるよう外装ケースに開閉自在に取り付けられたディスク蓋と、ディスク収納部を閉じた状態でディスク蓋をロックすると共にそのロックの解除が可能とされた蓋開閉機構と、を備えた撮像装置において、蓋開閉機構は、ディスク蓋に取り付けられたロック爪と、このロック爪に対して係合・離脱可能とされ且つ外装ケースに移動可能に支持されたストッパ爪と、を有し、このストッパ爪を、外装ケース内のテーブル回転装置及びピックアップ装置の近傍の空き領域に配置したことを最も主要な特徴とする。
【００１１】
本出願の請求項２に記載の発明は、空き領域は、ターンテーブルに装着されたディスク状記録媒体と略重なり合う部分であってテーブル回転装置及びピックアップ装置を支持するメカシャーシの外側に形成された領域であることを特徴とする。
【００１２】
本出願の請求項３に記載の発明は、蓋開閉機構は、外装ケースに固定されたベースプレートに摺動可能に支持されると共にストッパ爪を有するスライド部材と、このスライド部材をロックすると共にロック爪によってロックの解除が可能とされた回動レバーと、スライド部材を移動させてストッパ爪をロック爪から離反させるモータ組立体と、ストッパ爪をロック爪側に付勢するコイルバネと、を有することを特徴とする。
【００１３】
また、本出願の請求項４に記載の発明は、モータ組立体は、スライド部材を移動させる回転カムと、この回転カムを回転動作させる駆動モータと、回転カムの回転位置を検出して駆動モータを駆動制御する検出スイッチと、を有することを特徴とする。
【発明の効果】
【００１４】
本出願の請求項１に記載の発明によれば、ディスク蓋にロック爪を取り付け、外装ケースにストッパ爪を移動可能に支持すると共に、そのストッパ爪を、外装ケース内のテーブル回転装置及びピックアップ装置の近傍の空き領域に配置したことにより、外装ケース内の、ディスクドライブ装置と重ならない空き領域を有効に活用することができ、外装ケースを小型化させて撮像装置全体の小型化、薄型化を図ることができる。
【００１５】
本出願の請求項２に記載の発明によれば、空き領域を、ディスク状記録媒体と重なり合う部分ではあるが、メカシャーシの外側であってディスク状記録媒体とは接触しないスペースに設定することにより、外装ケース内のスペースの有効利用を図り、外装ケースの小型化、薄型化を達成することができる。
【００１６】
本出願の請求項３に記載の発明によれば、蓋開閉機構をスライド部材と回動レバーとモータ組立体とコイルバネとで構成することにより、比較的簡単な構成でありながら、ロック爪とストッパ爪とのロック及びそのロック解除を簡単且つ確実に行うことができるようにすることができる。
【００１７】
また、本出願の請求項４に記載の発明によれば、モータ組立体を回転カムと駆動モータと検出スイッチとで構成することにより、比較的簡単な構成でありながら、スライド部材のスライド動作を簡単且つ確実に行うことができるようにすることができる。
【発明を実施するための最良の形態】
【００１８】
外装ケース内の、ディスクドライブ装置と重ならない空き領域にストッパ爪を配置することにより、外装ケース内の空いたスペースを有効に活用することができ、外装ケースを小型化させて撮像装置全体の小型化を、簡単な構造によって実現した。
【実施例１】
【００１９】
図１〜図２３は、本発明の実施の形態を示すものである。即ち、図１〜図４は本発明の撮像装置の一実施例を示す斜視図、正面図、平面図及び側面図、図５は表示装置を開いた後方からの斜視図、図６はディスク側の後方から見た斜視図、図７はディスク蓋を開いた前方からの斜視図、図８は同じくディスク状記録媒体を装着した状態の斜視図、図９は同じく側面図、図１０は撮像装置を把持した説明図である。図１１は本発明の撮像装置に係る外装ケースのディスク側パネル、蓋開閉機構及びディスクドライブ装置を示す斜視図、図１２は同じく組立状態の説明図、図１３は蓋開閉機構に係るモータ組立体の斜視図、図１４〜図１９はモータ組立体の動作説明図、図２０〜図２３は蓋開閉機構の動作説明図である。
【００２０】
図１〜図１０に示す撮像装置１は、情報記憶メディアであるディスク状記録媒体の一具体例として直径８ｃｍのＤＶＤ（Digital Versatile Disc）を使用し、光学的な画像をＣＣＤ（固体撮像素子）で電気的な信号に変換してＤＶＤに記録したり、液晶モニタ等の表示装置に表示できるようにしたもの（以下「ディスク式撮像装置」という。）である。しかしながら、本発明のディスク状記録媒体としては、ＤＶＤに限定されるものではなく、ＣＤ−ＲＯＭその他の記録可能な光学ディスクを用いることができることは勿論のこと、例えば光磁気ディスク、磁気ディスク等のように他の記録方式のディスク状記録媒体を適用できるものである。
【００２１】
このディスク式撮像装置１は、着脱自在に装着されるＤＶＤ２を回転駆動して情報信号の記録（書き込み）及び再生（読み出し）を行うディスクドライブ装置３（図７〜図９を参照）と、このディスクドライブ装置３の駆動制御等を行う図示しない制御回路と、被写体の像を光として取り込んでＣＣＤに導くレンズ装置４と、これらディスクドライブ装置３等が収納される外装ケース５と、この外装ケース５に回動自在に取り付けられてディスク収納部６を開閉可能に覆うことができるディスク蓋７等を備えて構成されている。
【００２２】
外装ケース５は、三重に重ね合わせるように組み合わされるディスク側パネル８、中央部パネル９及び表示装置側パネル１０と、レンズ装置４の光軸方向の前後に配置されてこれらのパネル８〜１０と組み合わされるフロントパネル１１及びリアパネル１２と、中央部パネル９の内側に配置される図に表れない仕切りパネルとからなり、これらのパネル８〜１２によって中空の筐体が構成されている。そして、仕切りパネルのディスク側パネル８側の面に、ディスクドライブ装置３が４箇所に設けられたマウントインシュレータ１４（図１１を参照）を介して弾性的に支持されている。これらのパネル８〜１２は、互いに重ね合わされた適当な部分において、或いは他の部材を介して固定ネジからなる固着手段によって組立・分解可能に構成されている。
【００２３】
レンズ装置４は、外装ケース５の上部に内蔵された状態で固定されていて、その対物レンズ１５がフロントパネル１１の上部を前方に貫通して前面に露出されている。図示しないが、外装ケース５の内部において、レンズ装置４の後方にＣＣＤが配置されており、そのＣＣＤの後方にビューファインダ１６が配置されている。
【００２４】
ビューファインダ１６は外装ケース５の上部に露出されていて、ファインダ移動機構によってレンズ装置４の光軸方向へ所定距離だけ進退移動可能に構成されている。このビューファインダ１６は、前側を回動中心として後側が上下方向へ回動可能に構成されている。これによりビューファインダ１６は、レンズ装置４の光軸と平行をなす水平状態から、後部を上方へ持ち上げた上向き状態まで所定角度範囲（本実施例では約９０度）内で任意角度に角度調節可能とされている。このビューファインダ１６の角度調整は、ファインダ移動機構の前端部から後端部までの如何なる位置においても行うことができる。
【００２５】
更に、外装ケース５の上部には、ビデオライトや外付けマイクロホン等のアクセサリーが着脱自在に装着されるアクセサリーシュー１７が取り付けられている。アクセサリーシュー１７はビューファインダ１６の直前に配置されていて、ビューファインダ１６を後方へ移動させたときに、アクセサリーシュー１７への挿入口が開口されるようになされている。この挿入口を開口させた状態においてアクセサリーの装着が可能であり、アクセサリーの装着後、ビューファインダ１６を前方へ移動させると、その挿入口が閉口されてアクセサリーの取り外しが不能となる。このアクセサリーシュー１７には、通常、不使用時に空間部分を埋める蓋体をなすシューキャップ１８が装着される。
【００２６】
また、フロントパネル１１の前面には、上から順にリモコン受光部２０とマイク端子とステレオ方式の内蔵マイクロホン２２が配置されている。リモコン受光部２０は、リモコン操作のための受信部である。このリモコン受光部２０は、焦点を自動的に調整する等のために用いられる赤外線を発光する赤外線発光部も兼ねている。また、マイク端子は映像端子と音声端子とからなり、これらの端子は端子カバー２１によって開閉可能に覆われている。
【００２７】
図５及び図６に示すように、外装ケース５のリアパネル１２には、電源バッテリー２４が着脱自在に装着されるバッテリー収納部２５が設けられている。バッテリー収納部２５は、リアパネル１２の背面及び下面に開口されていて、電源バッテリー２４は後方斜め下方から差し込み、また同方向に取り出し可能とされている。更に、リアパネル１２には、吊り下げ用ストラップのための２個の支持金具２６ａ，２６ｂが取り付けられている。２個の支持金具２６ａ，２６ｂのうち、一方の支持金具２６ａは右サイドの上部に配置され、他方の支持金具２６ｂは左サイドの下部に配置されている。
【００２８】
図４及び図５に示すように、外装ケース５の表示装置側パネル１０には、表示装置２８が姿勢変更可能に取り付けられている。表示装置２８は、平板状の液晶モニタ２９と、この液晶モニタ２９が収納されたパネルケース３０と、このパネルケース３０を外装ケース５に対して姿勢変更可能に支持するパネル支持部３１とから構成されている。
【００２９】
パネル支持部３１は、垂直軸を回動中心としてパネルケース３０を水平方向に略９０度回動可能とした水平回動機能と、水平軸を回動中心としてパネルケース３０を前後方向に略１８０度回動可能とした前後回動機能とを有している。これにより表示装置２８は、図１〜図４に示す収納状態と、図５に示すパネルケース３０を９０度回動させて液晶モニタ２９を後方へ対向させた状態と、図５の状態からパネルケース３０を１８０度回動させて液晶モニタ２９を前方へ対向させた状態と、それらの中間位置の状態とを任意に取ることができる。
【００３０】
更に、表示装置側パネル１０には、パネルケース３０によって開閉自在に覆われる多数の操作ボタンからなる内側操作部３２と、パネルケース３０の上方に配された複数の操作ボタンからなる外側操作部３３が設けられている。
【００３１】
図７及び図８に示すように、外装ケース５のディスク側パネル８は、ディスク蓋７が取り付けられる側面部８ａと、この側面部８ａの外縁を囲うように連続する周縁部とからなっている。ディスク側パネル８の周縁部は、側面部８ａの上下に連続する上面部８ｂ及び下面部８ｃと、側面部８ａの左右に連続する前面部８ｄ及び後面部８ｅとからなり、側面部８ａの前面部８ｄ側にディスク収納部６が開口されている。ディスク側パネル８の上面部８ｂの略中央部から前面部８ｄを経て下面部８ｃの略中央部に至る部分は、略半円形をなす枠状に形成されている。そして、略半円形をなす枠状部分の内側には、補強等を目的とした補強部８ｆが内側へ張り出すように形成されている。
【００３２】
ディスク収納部６は、ディスクドライブ装置３の一部を露出させるための開口部を有する一定領域からなり、この実施例では直径が８ｃｍのディスク状記録媒体に対応する大きさの領域として形成されている。このディスク収納部６の略中央部にはディスクドライブ装置３のテーブル回転装置３５が配置され、その中央部に位置するターンテーブル３６に対して、ディスク状記録媒体の一具体例を示す直径８ｃｍのＤＶＤ２が装着可能とされている。なお、テーブル回転装置３５は、図１０及び図１１に示すように、前述した仕切りパネルに弾性支持されたメカシャーシ３７に固定されている。
【００３３】
このテーブル回転装置３５が配置されたディスク収納部６は、図７に示すように、ディスク側パネル８に側面部を回動自在に支持されたディスク蓋７によって開閉可能に覆われている。ディスク蓋７は、ディスク収納部６の形状に見合う形状とされていて、ディスク収納部６の開口側を覆う平面部７ａと、この平面部７ａの外周縁の略全周に亘って連続する周面部７ｂを有している。ディスク蓋７の周面部７ｂは、ディスク側パネル８のディスク収納部６の外周側切欠き部と嵌り合うように構成されている。
【００３４】
この実施例で示すディスク蓋７は、外周縁一周の略５／６（約３００度）が円形（円形部分は全体の略３／４以上あれば良い。）とされたシェル形をなしていて、残りの部分が直線からなる方形部７ｃとされている。この方形部７ｃには、ディスク蓋７を開閉動作させるための回動中心となる蓋回動軸部３９が取り付けられる。蓋回動軸部３９は、図示しないが、方形部７ｃを貫通する支持軸と、この支持軸の両端を固定的に支持する一対の軸受片を有する軸受部材とからなり、軸受部材をディスク側パネル８に固定することによってディスク蓋７が回動自在に支持されている。この蓋回動軸部３９には、ディスク蓋７の最大開き角度（例えば、９０度）を設定するストッパ部が設けられている。
【００３５】
このような蓋回動軸部３９が、その支持軸の軸方向を上下方向に設定してディスク側パネル８に取り付けられている。これにより、ディスク蓋７が蓋回動軸部３９を介してディスク側パネル８の後部に回動可能に支持されている。その結果、ディスク蓋７は、ディスク式撮像装置１の正面を前側として前開きによって側方へ略９０度開放動作させることができる。なお、蓋回動軸部３９には、一定の開放角度の範囲内においてディスク蓋７を任意の開放位置で静止させることができると共に、その開放角度を超えたときにはディスク蓋７を開放側へ付勢するようにバネ部材が装着されている。
【００３６】
このディスク側パネル８と重ね合わされる中央部パネル９は、ディスク側パネル８の上面部８ｂと表示装置側パネル１０の間に介在される上面部９ａと、この上面部９ａから前側に連続して前面部８ｄとフロントパネル１１の間に介在される前面部９ｂとからなっている。この中央部パネル９の上面部９ａの略中央部から前面部８ｄの下部に亘る部分には、内側となる表示装置側パネル１０側に傾斜させることによって凹部となるくびれ４２が設定されている。このくびれ４２を有するディスク側パネル８及び中央部パネル９の円弧状をなす部分によってディスク式撮像装置１を握って保持するためのグリップ部４３が構成されている。
【００３７】
このような中央部パネル９とディスク側パネル８の間には、ディスク蓋７の蓋開閉機構４５が配設されている。この蓋開閉機構４５は、ディスク収納部６を閉じた状態のディスク蓋７を、その閉じ状態においてロックする機能と、そのロックを解除する機能とを有するものである。この蓋開閉機構４５については、後に詳細に説明する。
【００３８】
また、図３及び図６等に示すように、ディスク側パネル８には、ディスク蓋７を囲うようにハンドストラップ６０が取り付けられている。ハンドストラップ６０は、外装ケース５の把持部とされたグリップ部４３を握るユーザーの手の部分を支えて、ディスク式撮像装置１の取り落とし等を防止するものである。
【００３９】
このハンドストラップ６０は、両端がディスク側パネル８に固定された支持ベルト６１と、この支持ベルト６１に装着されてユーザーの手の甲部分に当接される保護パッド６２から構成されている。支持ベルト６１の一端はディスク側パネル８の前側下部に固定された取付金具６３に連結され、他端はディスク側パネル８の後側中途部に設けた貫通穴から内側に挿入されて、その内部に取り付けられた取付金具に固定されている。
【００４０】
図６等に示すように、ディスク側パネル８の後部には、電源ボタン６４とモード切換ダイヤル６５と録画ボタン６６が配置されている。モード切換ダイヤル６５はリング状をなしていて、その穴内に電源ボタン６４が収納されている。電源ボタン６４はプッシュ・プッシュ方式のスイッチ手段からなり、その押圧動作によって電源バッテリー２４からの電力供給がオン・オフされる。
【００４１】
モード切換ダイヤル６５は録画等の動作モードを選択するためのもので、その回動操作によって「静止画モード」と「動画モード」と「見る・編集モード」との３態様の中から任意のモードを選択することができる。また、録画ボタン６６はプッシュ・プッシュ方式のスイッチ手段からなり、その押圧動作によって動画撮影のスタートとストップが繰り返される。
【００４２】
更に、ディスク側パネル８の後側上部には、シャッタボタン６７とズームレバー６８が配置されている。シャッタボタン６７は静止画を撮影するためのもので、その押圧操作により、１回の押圧操作毎に１つの静止画が撮影される。また、ズームレバー６８は撮影時や再生時等において画像を拡大するためのもので、その操作量に応じて一定の範囲内で倍率を無段階に調整することができる。
【００４３】
前記外装ケース５を構成するディスク側パネル８、中央部パネル９、表示装置側パネル１０、フロントパネル１１及びリアパネル１２の材料としては、例えば、ＡＢＳ（アクリロニトリル・ブタジエン・スチレン樹脂）が好適である。しかしながら、ＡＢＳに限定されるものではなく、その他のエンジニアリングプラスチックを適用できることは勿論のこと、合成樹脂以外のアルミニウム合金等の金属を用いることもできる。
【００４４】
前述したように外装ケース５の内部は仕切りパネルによって左右方向（レンズ装置４の光軸と交差する方向）に仕切られており、これにより、ディスク蓋７側の第１の室と表示装置側の第２の室が形成されている。仕切りパネルは板状の部材からなり、固定ネジによって外装ケース５の内部に締付固定されている。仕切りパネルの材料としては、例えば、ステンレス鋼（ＳＵＳ）が好適であるが、スチール鋼、アルミニウム合金その他の金属を適用できることは勿論のこと、金属以外のエンジニアリングプラスチックを用いることもできる。
【００４５】
図示しないが、外装ケース５の第１の室にはディスクドライブ装置３が収納され、第２の室にはレンズ装置４と制御回路部等が収納されている。そのため、仕切りパネルの一面側にはディスクドライブ装置３を支持するための複数個の支持突起が設けられ、他面側にはレンズ装置４やプリント基板等を支持するための複数個の支持片が設けられている。制御回路部は、例えば、マイクロコンピュータや記憶装置（ＲＡＭ，ＲＯＭ）、コンデンサや抵抗その他の電子部品と、これらの電子部品が搭載されるプリント基板等によって構成される。
【００４６】
図１１及び図１２等に示すように、ディスクドライブ装置３は、仕切りパネルに取り付けられるメカシャーシ３７と、このメカシャーシ３７に固定されるテーブル回転装置３５と、ピックアップ装置の一具体例を示す光学ピックアップ装置７１等を備えて構成されている。メカシャーシ３７は導電性の板材で形成されていて、絶縁性材料で形成された弾性体からなる複数個のマウントインシュレータ１４を介して仕切りパネルに弾性的に支持されている。
【００４７】
インシュレータ１４は円筒状に形成されたゴム状弾性体からなり、その外周面の軸方向中途部には周方向に連続する環状溝が設けられている。このインシュレータ１４の所定個数（本実施例では４個）が、メカシャーシ３７のインシュレータ受け部７０ａやインシュレータ受け片７０ｂに設けた切欠き穴に環状溝を嵌合させることによってそれぞれ装着されている。そして、仕切りパネルに設けた複数個の支持ピンにインシュレータ１４の中央穴を嵌合した後、各支持ピンの先端に取付ネジを螺合することにより、それぞれのインシュレータ１４の脱落が防止されている。
【００４８】
このようなインシュレータ１４を介して仕切りパネルに取り付けられたメカシャーシ３７は、十分に大きな強度を有する枠状の部材によって構成されている。メカシャーシ３７と仕切りパネルの導体部分は、図示しないアース部材によって互いに導通されていて、静電気等を外部に放出し易い構造とされている。このメカシャーシ３７に搭載されたテーブル回転装置３５は、メカシャーシ３７に固定されたスピンドルモータ７２と、このスピンドルモータ７２の回転部に固定されたターンテーブル３６とから構成されている。
【００４９】
ターンテーブル３６は、ＤＶＤ２のセンタ穴が嵌合される嵌合部３６ａと、センタ穴の周縁部が載置される載置部３６ｂとからなっている。更に、ターンテーブル３６の嵌合部３６ａには、ＤＶＤ２のセンタ穴の周縁部に係合してＤＶＤ２を保持する複数個の係合爪３６ｃが周方向に複数個設けられている。各係合爪３６ｃはスプリングによって半径方向外側へ付勢されており、このスプリングのバネ力によってＤＶＤ２が嵌合部３６ａに位置決め固定される。
【００５０】
また、光学ピックアップ装置７１は、ＤＶＤ２の情報記録面に対向されるピックアップレンズ７４ａを有する二軸アクチュエータ７４と、この二軸アクチュエータ７４が搭載されたスライド部材７５等を備えて構成されている。スライド部材７５は、図に表れない２本のガイド軸にガイドされて移動可能とされている。２本のガイド軸は、スピンドルモータ７２を挟んで互いに平行とされており、一方のガイド軸の近傍にピックアップ移動装置７６が設けられている。
【００５１】
図示しないが、ピックアップ移動装置７６は、スライド部材７５に取り付けられた送りナットに係合される送りネジ軸と、この送りネジ軸を回転軸とした送りモータとから構成されている。送りネジ軸は光学ピックアップ装置７１のガイド軸と平行に設定され、メカシャーシ３７に回転自在に支持されている。かくして、送りモータを駆動して送りネジ軸を回転することにより、その送りネジ軸の回転方向に応じて光学ピックアップ装置７１がターンテーブル３６に近づく方向とターンテーブル３６から離れる方向とに選択的に移動される。これらメカシャーシ３７とテーブル回転装置３５と光学ピックアップ装置７１とピックアップ移動装置７６とその他の関連機構によってディスクドライブ装置３が構成されている。
【００５２】
このような構成を有するディスクドライブ装置３が取り付けられた仕切りパネルを外装ケース５内の所定位置に固定することにより、図７に示すように、テーブル回転装置３５のターンテーブル３６とその周辺部分がディスク側パネル８のディスク収納部６に配置される。このディスク収納部６がディスク蓋７によって開閉され、そのディスク蓋７のロック及びそのロック解除が蓋開閉機構４５によって行われる。
【００５３】
蓋開閉機構４５は、図７、図１０及び図１１等に示すように、ディスク蓋７に固定されるロック部材４６と、ディスク側パネル８側の部材であるベースプレート５１に摺動可能に取り付けられる操作部材４７と、スライド部材４８及び回動レバー４９と、スライド部材４８を進退動作させるモータ組立体５０と、回動レバー４９及びモータ組立体５０を支持するベースプレート５１等から構成されている。
【００５４】
ロック部材４６は、ディスク蓋７に固定するための固定部と、この固定部に連続して一体に形成された一対のロック爪４６ａ，４６ｂとからなり、板金製の部材によって形成されている。一対のロック爪４６ａ，４６ｂは、互いに所定の間隔をあけて配置されていると共に、固定部から立ち上がるように形成されている。この固定部をディスク蓋７内面の蓋回動軸部３９から最も離れた先端部に固定することにより、ロック部材４６がディスク蓋７と一体的に構成されている。更に、一対のロック爪４６ａ，４６ｂは、ディスク蓋７の周面部７ｂとの間に所定の隙間をあけて略平行に配置されており、それぞれの先端部には同一方向の側方に突出する鉤部が設けられている。この実施例では、一対のロック爪４６ａ，４６ｂの鉤部は、下方へ突出するように形成されている。
【００５５】
操作部材４７は、ディスク側パネル８の上面部８ｂにおいて、前後方向へ摺動自在に取り付けられている。操作部材４７は、上面部８ｂの長溝５２ａ内に摺動自在に係合された操作部４７ａと、この操作部４７ａと一体に形成されると共に上面部８ｂを貫通して第１の室内に突出されたアーム部４７ｂとを有している。操作部材４７のアーム部４７ｂとディスク側パネル８の上面部８ｂとの間にはコイルバネ５３が圧縮された状態で介在されている。このコイルバネ５３のバネ力により、操作部材４７は常時前側、すなわち、ロック部材４６のある側に付勢されている。このコイルバネ５３のバネ力に抗して操作部４７ａを後方へ移動させることにより、後述するように蓋開閉機構４５が開放動作を開始する。そのため、操作部材４７の近傍には、当該操作部材４７の開放動作を検出するための検出スイッチ４４が設けられている。
【００５６】
ベースプレート５１は、ディスク側パネル８の側面部８ａ内面の、ディスク収納部６を避けた空きスペースに固定ネジからなる固着手段によって固定されている。このベースプレート５１は、ディスク側パネル８の前面部８ｄに対向される正面部５１ａと、この正面部５１ａに連続すると共に９０度折り曲げられてメカシャーシ３７の前側平面に対向される架橋部５１ｂと、この架橋部５１ｂに連続される保持部５１ｃを有している。保持部５１ｃは、第１の室内の前記空きスペースを有効利用するために正面部５１ａに対して略４５度の角度に傾斜するように構成されている。この保持部５１ｃにはモータ組立体５０が固定されている。
【００５７】
図２０〜図２３に示すように、ベースプレート５１の正面部５１ａには、スライド部材４８が摺動自在に支持されていると共に、回動レバー４９が回動自在に支持されている。スライド部材４８には、ロック部材４６の一対のロック爪４６ａ，４６ｂと係合・離脱可能とされた一対のストッパ爪４８ａ，４８ｂが設けられている。一対のストッパ爪４８ａ，４８ｂは、スライド部材４８の平板状の基部から同一方向へ立ち上げるように形成されていて、その基部には、スライド部材４８のスライド方向に延在された一対のガイド溝４８ｃ，４８ｃが設けられている。
【００５８】
スライド部材４８の一対のガイド溝４８ｃ，４８ｃには、正面部５１ａに固定された一対のガイドピン５４ａ，５４ａがそれぞれ摺動自在に係合されている。この一対のガイドピン５４ａ，５４ａによってスライド部材４８が、そのスライド方向とされた上下方向へ所定距離だけ移動可能に支持されている。また、スライド部材４８の基部の略中央部には、正面部５１ａに固定された回動軸５５によって回動レバー４９が回動自在に支持されている。回動軸５５はスライド部材４８の長穴を貫通しており、これによりスライド部材４８の移動を阻害しないようになされている。
【００５９】
回動レバー４９の長手方向の一端には、ロック部材４６の一方のロック爪４６ｂが当接される入力部４９ａが設けられている。この回動レバー４９の入力部４９ａは、一方のロック爪４６ｂと対向するように配置される。また、回動レバー４９の長手方向の他端にはバネ受け片４９ｂが形成されていて、このバネ受け片４９ｂにはコイルバネ５６の一端が係止されている。コイルバネ５６の他端はスライド部材４８に設けたバネ受け片４８ｄに引っ張り状態で係止されており、このコイルバネ５６のバネ力によってスライド部材４８が常時下方（一方のストッパ爪４８ａから他方のストッパ爪４８ｂに向かう方向）へ付勢されている。そして、コイルバネ５６のバネ力による回動レバー４９の回動動作を制限するため、スライド部材４８にはストッパ片４８ｅが設けられている。
【００６０】
かくして、ディスク蓋７が閉じられる直前の状態では、ロック部材４６の一対のロック爪４６ａ，４６ｂには、最も上方に移動しているスライド部材４８の一対のストッパ爪４８ａ，４８ｂが対向される。この状態からロック部材４６をベースプレート５１側へ移動することにより、一対のロック爪４６ａ，４６ｂの各斜面部が一対のストッパ爪４８ａ，４８ｂの上端部を下方へ押圧する。この押圧力がコイルバネ５６のバネ力に打ち勝ってスライド部材４８を下方へスライドさせることにより、各ロック爪４６ａ，４６ｂが各ストッパ爪４８ａ，４８ｂを乗り越える。その結果、対応するロック爪４６ａ，４６ｂとストッパ爪４８ａ，４８ｂが互いに噛み合わされ、ロック部材４６がスライド部材４８によってロックされる。この状態が、図２０に示す状態である。
【００６１】
これら一対のロック爪４６ａ，４６ｂと一対のストッパ爪４８ａ，４８ｂとの係合状態を確保するため、ディスク側パネル８の前面部８ｄには、図７〜図９に示すように、一対のロック爪４６ａ，４６ｂが挿通される一対の挿通穴５７ａ，５７ｂが設けられている。従って、ディスク蓋７の開閉の際には、これら挿通穴５７ａ，５７ｂからロック爪４６ａ，４６ｂが出し入れされる。
【００６２】
蓋開閉機構４５が、図２０に示す状態から図２１に示す状態に変化し、コイルバネ５６のバネ力に抗して当該コイルバネ５６を伸長させてスライド部材４８が下方へ移動すると、一対のストッパ爪４８ａ，４８ｂが一対のロック爪４６ａ，４６ｂから離れる。これにより、一対のロック爪４６ａ，４６ｂと一対のストッパ爪４８ａ，４８ｂとのロックが解除され、その結果、ディスク蓋７の開放操作が可能となる。そこで、ディスク蓋７のロック部材４６近傍を持って外側へ回動させることにより、ディスク蓋７が後部の蓋回動軸部３９を回動中心として前方から側方に回動される。その結果、ディスク蓋７が、前開きにより開放されて、ディスク収納部６が露出される。
【００６３】
次に、ディスク蓋７を再び閉じるときには、図２２に示すように、ディスク蓋７を外装ケース５に近づける。そして、一対のロック爪４６ａ，４６ｂを一対の挿通穴５７ａ，５７ｂに貫通させてスライド部材４８に近づけると、一方のロック爪４６ｂが、これに対向されている回動レバー４９の入力部４９ａに当接される。このとき、コイルバネ５６のバネ力に抗して更にロック爪４６ａ，４６ｂを押圧することにより、入力部４９ａがストッパ片４８ｅから外れるためにスライド部材４８がフリーの状態となる。この状態が、図２３に示す状態である。そして、スライド部材４８がコイルバネ５６のバネ力によって上方に移動し、一対のロック爪４６ａ，４６ｂが一対のストッパ爪４８ａ，４８ｂに係合されて、図２０に示すロック状態に戻る。
【００６４】
これにより、バネ部材５４のバネ力によってスライド部材５３が前側に移動し、一対のストッパ爪５６ａ，５６ｂが一対のロック爪５５ａ，５５ｂにそれぞれ係合される。その結果、それぞれ対をなすロック爪５５ａとストッパ爪５６ａ及びロック爪５５ｂとストッパ爪５６ｂの各係合によってロック部材５２がスライド部材５３に係合保持される。
【００６５】
このような蓋開閉機構４５の開放動作は、同じくベースプレート５１に搭載されるモータ組立体５０によって実行される。このモータ組立体５０は、図１３及び図１４〜図１９に示すような構成となっている。すなわち、モータ組立体５０は、駆動モータ８０と、この駆動モータ８０が収納されるモータハウジング８１と、このモータハウジング８１に回転自在に取り付けられた回転カム８２と、この回転カム８２の回転によって揺動される揺動レバー８３等を備えて構成されている。
【００６６】
モータハウジング８１は、駆動モータ８０が嵌合されるモータ保持部８１ａと、このモータ保持部８１ａに連続すると共に円盤状の回転カム８２を回転自在に支持するカム支持部８１ｂとを有している。駆動モータ８０は、その回転軸をハウジング内に挿入した状態でモータ保持部８１ａに保持されている。モータハウジング８１の内部には、図示しないが、駆動モータ８０の回転軸の回転力を回転カム８２の回転力に変換する動力変換機構が内蔵されている。この動力変換機構によって回転カム８２は、駆動モータ８０の回転により、図１４において時計方向へ回転駆動される。
【００６７】
図１４〜図１９に示すように、回転カム８２の上面には、揺動レバー８３を揺動動作させると共に前記スライド部材４８を進退動作させるカムピン８４が設けられている。カムピン８４は、回転カム８２の軸部８２ａを回転中心として回転移動するもので、その回転軌跡上には揺動レバー８３の操作部８３ａと、スライド部材４８の操作部４８ｆとが配置されている。
【００６８】
揺動レバー８３は、モータハウジング８１に立設された枢軸８５によってモータハウジング８１の表面上を面方向に揺動自在に支持されている。この揺動レバー８３の一端には二股状をなす操作部８３ａが設けられている。揺動レバー８３の操作部８３ａは、両端部に形成された第１カム凸部８６ａと第２カム凸部８６ｂとからなり、これらのカム凸部８６ａ，８６ｂから入力される力によって揺動レバー８３が、枢軸８５を中心として揺動運動される。
【００６９】
揺動レバー８３の操作部８３ａと反対側の端部には、駆動モータ８０の動作を制御する検出スイッチ８７をオン・オフ動作させる操作部８６ｃと、ねじりバネ８８の一端を係止するバネ受け片８６ｄとが設けられている。ねじりバネ８８は揺動レバー８３の動きを制御するもので、その他端はカバー部材８９に係止されている。カバー部材８９は、揺動レバー８３の中間部分を覆うことで当該揺動レバー８３の脱落を防止して安定した揺動運動を確保するもので、モータハウジング８１に係合固定されている。揺動レバー８３の操作部８６ｃには、検出スイッチ８７がフレキシブル配線板９０に実装された状態で対向設置される。この揺動レバー８３の揺動状態に応じて検出スイッチ８７の操作片８７ａがオン・オフされ、これにより駆動モータ８０が駆動制御される。
【００７０】
スライド部材４８の操作部４８ｆは、一対のストッパ爪４８ａ，４８ｂが立設された辺と反対側の辺において逆方向へ突出するように形成されている。この操作部４８ｆを回転カム８２のカムピン８４で押圧することにより、一対のストッパ爪４８ａ，４８ｂが並ぶ方向である上下方向にスライド部材４８が摺動される。
【００７１】
このような構成を有するモータ組立体５０では、例えば、次のようにしてスライド部材４８のスライド動作が実行される。図１４〜図１９は、モータ組立体５０の動作を説明するものであって、図１４は、通常の初期状態を示す図である。この初期状態では、回転カム８２のカムピン８４が揺動レバー８３の第１カム凸部８６ａに接触している。これにより、揺動レバー８３は枢軸８５を揺動中心として時計方向に最も揺動した位置に設定されている。その結果、操作部８６ｃによって操作片８７ａが押圧され、これにより検出スイッチ８７がオンの状態となっている。また、スライド部材４８は、モータ組立体５０に最も近づいた上部位置にあり、その操作部４８ｆはカムピン８４の回転軌跡上に位置している。従って、蓋開閉機構４５は、ロック部材４６をロックしているロック状態か、又はこれと同様の状態となっている。
【００７２】
図１４の状態から、ユーザーが操作部材４７を開放方向（外装ケース５の前側から後側に向かう方向）へスライドすることにより、操作部材４７の前記動作が検出スイッチによって検出され、その検出信号に基づく制御信号が駆動モータ８０に供給される。その結果、駆動モータ８０の駆動が開始され、回転カム８２が時計方向に回転されて、カムピン８４が第１カム凸部８６ａから離れる。これにより、回転カム８２は図１４に示す状態から図１５に示す状態に変化するが、揺動レバー８３はねじりバネ８８のバネ力によって当初の状態に維持される。そのため、検出スイッチ８７のオン状態が維持されると共に、スライド部材４８のロック状態も維持される。
【００７３】
さらに回転カム８２が時計方向に回転し、図１６に示すように、カムピン８４が第２カム凸部８６ｂに当接して押圧することにより、揺動レバー８３がねじりバネ８８のバネ力に打ち勝って枢軸８５を中心に反時計方向に揺動される。その結果、揺動レバー８３の操作部８６ｃが操作片８７ａから離れ、検出スイッチ８７がオンからオフに変化する。この検出スイッチ８７のオンからオフへの変化によっては駆動モータ８０の駆動が停止されることがなく、その回転動作は継続される。また、カムピン８４が操作部４８ｆに当接するまで、スライド部材４８のロック状態も維持される。
【００７４】
次に、回転カム８２が図１６に示す状態から図１７に示す状態に変化すると、カムピン８４が操作部４８ｆを押圧するため、コイルバネ５６のバネ力に抗してスライド部材４８が下方（モータ組立体５０から離れる方向）にスライド移動される。その結果、前述したように、スライド部材４８によるロック部材４６に対するロックが解除され、ディスク蓋７の開放操作が可能となる。このとき、揺動レバー８３は、ねじりバネ８８のバネ力によって反時計方向に最も大きく揺動した状態が維持される。
【００７５】
続いて、回転カム８２が図１７に示す状態から図１８に示す状態に変化すると、カムピン８４が操作部４８ｆから離れるが、スライド部材４８のストッパ片４８ｅが回動レバー４９の入力部４９ａに係止されているため、スライド部材４８が下端に位置する状態が維持される。また、揺動レバー８３は、同じくねじりバネ８８のバネ力によって反時計方向に最も大きく揺動した状態に維持される。
【００７６】
次に、回転カム８２が図１８に示す状態から図１９に示す状態に変化すると、カムピン８４が揺動レバー８３の第１カム凸部８６ａに接触し、これを外側に押圧する。その結果、ねじりバネ８８のバネ力に打ち勝って揺動レバー８３が枢軸８５を揺動中心として時計方向に揺動する。これにより、揺動レバー８３の操作部８６ｃが検出スイッチ８７の操作片８７ａに当接し、これを押圧して検出スイッチ８７がオフからオンに切り換えられる。このときの検出スイッチ８７によるオンへの切換信号に基づいて駆動モータ８０への電力供給が停止され、駆動モータ８０の停止により回転カム８２の回転が停止される。
【００７７】
そして、図１９に示す状態から図１４に示す状態に戻り、前述した図１４から図１９までの動作が繰り返される。
【００７８】
このような構成を有するディスク式撮像装置１によれば、例えば、次のようにしてディスク蓋７の開閉動作を行うことができる。まず、ディスク式撮像装置１の電源ボタン６４を押圧してオンにし、電源が入力された状態にする。
【００７９】
このときのディスク式撮像装置１が、図１〜図４に示すように、ディスク蓋７が閉じられている状態にある場合には、ディスク蓋７に固定されているロック部材４６の一対のロック爪４６ａ，４６ｂは、ディスク側パネル８に設けた一対の挿通穴５７ａ，５７ｂを貫通して外装ケース５内に入り込み、蓋開閉機構４５のスライド部材４８に設けた一対のストッパ爪４８ａ，４８ｂに係合されてロック状態にある。このときの蓋開閉機構４５の状態を示す図が、図１４及び図２０である。この場合には、スライド部材４８によるロック部材５２のロック状態が保持されているため、ユーザーがディスク蓋７を開放することができない。
【００８０】
このようなディスク蓋７の閉じ状態において、外装ケース５のグリップ部４３に配設されている操作部材４７を開放操作することにより、ディスク蓋７の開放動作が開始される。まず、操作部材４７を開放方向である後方にスライドさせることにより、操作部材４７の近傍に配置されている検出スイッチ４４によってその開放動作が検出される。この検出スイッチ４４の検出信号に基づいて、モータ組立体５０の駆動モータ８０の駆動が開始される。そして、駆動モータ８０の駆動によって回転カム８２が、図１５に示す状態から図１６の状態を経て図１７の状態に変化することにより、回転カム８２のカムピン８４がスライド部材４８の上部に設けた操作部４８ｆに当接して押圧する。
【００８１】
このようにカムピン８４によって操作部４８ｆが押圧されると、スライド部材４８が回転カム８２から離れる方向（本実施例では撮像装置の下方）にスライド動作される。このスライド部材４８の移動により、一対のストッパ爪４８ａ，４８ｂが一対のロック爪４６ａ，４６ｂから外れ、スライド部材４８によるロック部材４６のロック状態が解除される。このロック解除状態を示す図が、図１７と図２１である。
【００８２】
その結果、ロック部材４６がフリーな状態となるため、ディスク蓋７は、その回動中心となる蓋回動軸部３９（蓋回動軸部３９の近傍に設けても良い。）に設けられている開放バネのバネ力によって少々開放される。このディスク蓋７の開放状態を示す図が、図２２である。これにより、ユーザーがディスク蓋７を手で開放することができるようになる。そこで、ユーザーがディスク蓋７を手で外側へ押し開くことにより、図７〜図９に示すように、ディスク蓋７が開放される。これにより、ディスク収納部６の略中央部に位置するターンテーブル３６に装着されているＤＶＤ２が露出され、ターンテーブル３６に対すＤＶＤ２の取り付け、取り外し作業が容易に行えるようになる。
【００８３】
このディスク蓋７の開放時、ディスク蓋７が後部を回動中心として前側から側方へ開放されるのに対して、ハンドストラップ６０を下方へ逃がすことができる。そのため、ハンドストラップ６０が開放動作の妨げとなることがなく、ディスク蓋７をスムースに開放することができる。しかも、ディスク蓋が上側から下方へ開放される形式の撮像装置と比べて、ディスク蓋の開放角度を大きくすることができる（開閉角度を９０度以上に設定することができる。）。そのため、ディスク蓋７がディスク交換の妨げとなることがなく、ディスクの交換作業を容易にすることができる。
【００８４】
また、図８等に示すディスク蓋７の開放状態からディスク蓋７を閉じる場合には、ディスク蓋７をディスク側パネル８に近づけてディスク収納部６を閉じるようにする。このとき、ディスク蓋７の内側に固定されたロック部材４６の一対のロック爪４６ａ，４６ｂがディスク側パネル８の一対の挿通穴５７ａ，５７ｂ内に入り込み、ディスク側パネル８に取り付けられているベースプレート５１に支持されている回動レバー４９の入力部４９ａを押圧して後方へ回動させる。これにより、図２３に示すように、回動レバー４９の入力部４９ａがスライド部材４８のストッパ片４８ｅから外れるために、スライド部材４８がコイルバネ５６のバネ力によってモータ組立体５０側に移動する。
【００８５】
これにより、スライド部材４８の一対のストッパ爪４８ａ，４８ｂがロック部材４６の一対のロック爪４６ａ，４６ｂに係合される。その結果、ロック部材４６がスライド部材４８によって係合保持され、蓋開閉機構４５がロックされた状態でディスク蓋７が閉じられる。このロック状態を示す図が、図１４と図２０である。
【００８６】
このようにディスク蓋７が開閉されるディスク式撮像装置１によれば、例えば、図１０に示すような状態でディスク式撮像装置１を片手でしっかりと把持して被写体を撮影することができる。この場合、外装ケース５のディスク側パネル８及びディスク蓋７の部分がそのままディスク式撮像装置１を握るための把持部となっており、しかも、その把持部の略全体が略円形に形成されているため、大きなグリップ部４３で安定した撮影が可能となった。
【００８７】
また、グリップ部４３の内側にはくびれ４２が設定されているため、そのくびれ４２に人差し指から小指までの各先端部を掛けて握ることにより、十分に大きな把持力を生じさせることができる。更に、グリップ部４３の内側に設定された空間領域に蓋開閉機構４５が収納されているため、外装ケース５内の空間領域を無駄なく利用できるようになった。そのため、外装ケース５内の空き領域を無くすことによって当該外装ケース５の小型化が可能となり、その結果、装置全体の小型化が可能となった。
【００８８】
更に又、図３及び図４等に示すように、グリップ部４３の前部をレンズ装置４の前部よりも前に突出させる構成としたため、使用されるディスク状記録媒体の規格を考慮して、ディスク式撮像装置１のディスク側の大きさを記録媒体の規格に対応した大きさとしながら、レンズ装置側を可及的に小さくして、装置全体の小型化を図ることができるようになった。特に、記録媒体として直径８ｃｍの大きさのＤＶＤやＣＤ−ＲＯＭその他のディスク状記録媒体を適用する場合には、図１０に示すように、ディスク式撮像装置１全体の大きさを大人の手のひらにすっぽりと収まる程度の仕様に設定することができる。すなわち、本願発明は、グリップ部に比べてカメラ部の大きさが小さく、全体として小型化が可能であって、記録媒体として小型ディスクを用いる撮像装置に適用して好適なものである。
【産業上の利用可能性】
【００８９】
本発明は、前述しかつ図面に示した実施の形態に限定されるものではなく、その要旨を逸脱しない範囲内で種々の変形実施が可能である。例えば、前記実施例では、ＤＶＤを記録媒体として用いたディスク式撮像装置に適用した例について説明したが、光磁気ディスクや磁気ディスク等の他の記録方式のディスク状記録媒体を用いることができる。この場合、これらに使用されるピックアップ装置は、記録媒体の種類に応じて、光磁気ピックアップ装置、磁気ピックアップ装置等となる。
【図面の簡単な説明】
【００９０】
【図１】本発明の撮像装置の一実施例を示す斜視図である。
【図２】本発明の撮像装置の一実施例を示す正面図である。
【図３】本発明の撮像装置の一実施例を示す平面図である。
【図４】本発明の撮像装置の一実施例を示す側面図である。
【図５】図１に示す撮像装置において、表示装置を側方に開いて背面側から見た斜視図である。
【図６】図１に示す撮像装置において、電源バッテリーを装着して背面側から見た斜視図である。
【図７】図１に示す撮像装置において、ディスク蓋を開いて背面側から見た斜視図である。
【図８】図１に示す撮像装置において、開かれたディスク蓋とハンドストラップとの干渉状態を説明する斜視図である。
【図９】図１に示す撮像装置のディスク蓋を開いた状態の側面図である。
【図１０】図１に示す撮像装置のグリップ部を握った使用状態を示す説明図である。
【図１１】本発明の撮像装置に係るディスク側パネル、蓋開閉機構及びメカシャーシを示す斜視図である。
【図１２】本発明の撮像装置に係るディスク側パネル、蓋開閉機構及びメカシャーシの組立状態を示す説明図である。
【図１３】本発明の撮像装置に係るモータ組立体を示す斜視図である。
【図１４】本発明の撮像装置に係るモータ組立体の動作を説明するもので、回転カムのカムピンが揺動レバーの第１カム凸部に当接した状態を示す説明図である。
【図１５】本発明の撮像装置に係るモータ組立体の動作を説明するもので、カムピンが第１カム凸部から離れた状態を示す説明図である。
【図１６】本発明の撮像装置に係るモータ組立体の動作を説明するもので、カムピンが第２カム凸部に当接した状態を示す説明図である。
【図１７】本発明の撮像装置に係るモータ組立体の動作を説明するもので、回転カムのカムピンがスライド部材の操作部に当接した状態を示す説明図である。
【図１８】本発明の撮像装置に係るモータ組立体の動作を説明するもので、カムピンが操作部から離れた状態を示す説明図である。
【図１９】本発明の撮像装置に係るモータ組立体の動作を説明するもので、カムピンが第１カム凸部に当接した状態を示す説明図である。
【図２０】本発明の撮像装置に係る蓋開閉機構の動作を説明するもので、スライド部材の一対のストッパ爪にロック部材の一対のロック爪が係合した状態を示す説明図である。
【図２１】本発明の撮像装置に係る蓋開閉機構の動作を説明するもので、一対のストッパ爪が一対のロック爪から外れた状態を示す説明図である。
【図２２】本発明の撮像装置に係る蓋開閉機構の動作を説明するもので、ディスク蓋の開放によって一対のロック爪がスライド部材から抜け出す状態を示す説明図である。
【図２３】本発明の撮像装置に係る蓋開閉機構の動作を説明するもので、ディスク蓋の閉鎖によって一対のロック爪がスライド部材に入り込む状態を示す説明図である。
【符号の説明】
【００９１】
１…ディスク撮像装置（撮像装置）、  ２…ＤＶＤ（ディスク状記録媒体）、  ３…ディスクドライブ装置、  ４…レンズ装置、  ５…外装ケース、  ６…ディスク収納部、  ７…ディスク蓋、  ８…ディスク側パネル、  ９…中央部パネル、  １０…表示装置側パネル、  １１…フロントパネル、  １２…リアパネル、  ３５…テーブル回転装置、  ３６…ターンテーブル、  ３７…メカシャーシ、  ３９…蓋回動軸部、  ４２…くびれ、  ４３…グリップ部、  ４５…蓋開閉機構、  ４６…ロック部材、  ４６ａ，４６ｂ…ロック爪、  ４７…操作部材、  ４８…スライド部材、４８ａ，４８ｂ…ストッパ爪、  ４８ｆ…操作部、  ４９…回動レバー、  ５０…モータ組立体、  ５１…ベースプレート、  ５６…コイルバネ、  ６０…ハンドストラップ、  ７１…光学ピックアップ装置（ピックアップ装置）、  ７３…ターンテーブル、  ８０…駆動モータ、  ８２…回転カム、  ８３…揺動レバー、  ８４…カムピン、  ８８…ねじりバネ
【図１】
2005182877.tif 000003
【図２】
2005182877.tif 000004
【図３】
2005182877.tif 000005
【図４】
2005182877.tif 000006
【図５】
2005182877.tif 000007
【図６】
2005182877.tif 000008
【図７】
2005182877.tif 000009
【図８】
2005182877.tif 000010
【図９】
2005182877.tif 000011
【図１０】
2005182877.tif 000012
【図１１】
2005182877.tif 000013
【図１２】
2005182877.tif 000014
【図１３】
2005182877.tif 000015
【図１４】
2005182877.tif 000016
【図１５】
2005182877.tif 000017
【図１６】
2005182877.tif 000018
【図１７】
2005182877.tif 000019
【図１８】
2005182877.tif 000020
【図１９】
2005182877.tif 000021
【図２０】
2005182877.tif 000022
【図２１】
2005182877.tif 000023
【図２２】
2005182877.tif 000024
【図２３】
2005182877.tif 000025